(57)【特許請求の範囲】
【請求項１】
複数の物体をｎ（ｎ≧２）段ｍ（ｍ≧２）列に配列して包装する包装構造において、
ｍ列に配列されたｍ個の物体にまたがって各段の間に設けられた段仕切りパッドと、
上記段仕切りパッドと交差しない部分に設けられ、ｎ段に配列されｎ個の物体にまたがって各列の間に設けられた列仕切りパッドとを備え、上記段仕切りパッドと列仕切りパッドは、交互に設けられ、少なくとも段仕切りパッドと列仕切りパッドのいずれか一方が、少なくとも２ヶ所に設けられ、上記段仕切りパッドと列仕切りパッドは、奥行き方向の長さの合計が、上記物体の奥行き方向の長さと略同一であることを特徴とする包装構造。
【請求項２】
上記列仕切りパッドが物体の中央部に設けられたことを特徴とする請求項１記載の包装構造。
【請求項３】
上記段仕切りパッドと列仕切りパッドは、緩衝性のある長方形の平板であることを特徴とする請求項１又は請求項２記載の包装構造。
【請求項４】
上記物体は、蛍光ランプであることを特徴とする請求項１乃至３のいずれかに記載の包装構造。
【発明の詳細な説明】
【０００１】
【発明の属する技術分野】
本発明は、例えば、複数枚の長方形の保護パッドを配置することによって、比較的低コストで、しかも十分な保護性能を提供する包装構造に関するものである。特に、直管蛍光ランプを個別包装せずに集合包装する場合の包装構造を提供するものである。
【０００２】
【従来の技術】
従来、個別包装を用いない直管蛍光ランプの集合包装では、ランプ同士のぶつかり合いによるランプの破損が起きる恐れがある。或いは、ランプ同士のぶつかり合いによる比較的高い周波数（数十ヘルツ）の振動によってランプに内包される電極への共振によって引き起こされる陰極物質離脱等を起こす恐れがある。これらを防ぐ方策として、図１８のように、外装ケース３４内に複数列並べた蛍光ランプ３０を複数段に重ねるに当たり、平面状の保護パッド３２を水平に段毎の間に配するものが知られている。
【０００３】
【発明が解決しようとする課題】
しかしながら、このような包装は、移送と称されるランプの輸送や荷扱い時に生じる振動に対して、ランプ同士の上下方向（矢印Ｊ，Ｋ方向）の緩衝性はあるものの、同じ段に位置するランプ同士の横方向（矢印Ｌ，Ｍ方向）の緩衝性は備えられていない。更に、図１９に示すように、外装ケース３４が横積みされてしまい、図１８に示した場合から９０°回転されて置かれた場合には、緩衝機能が働かないという問題もある。
一方、かかる問題を解決するために一般に用いられる包装としては、図２０のような井桁状仕切りパッド３６を使う方法や図２１のような紙や化成品を波形状に成形加工した波形パッド３８が多く用いられている。
しかしながら、例えば、井桁状仕切りパッドであれば、ランプの梱包作業においてランプの挿入方向が一方に制限される点や、開梱作業においても脱抜き方向が一方に制限される点が問題となる。また、井桁状仕切りパッド３６や波形パッド３８を作製するためには、成形型や抜き型と称する専用の型を必要とするために、型費用がかかるという問題がある。更に、ガラス管径が同じ径サイズのランプにしか使えないという問題もある。
【０００４】
本発明は、かかる問題を解決するためになされたものであり、集合包装した場合にも、包装された物体が破損されない包装構造を得ることを目的とする。
また、この発明は、外部から荷重がかかった場合に、耐荷重強度を高めることができる包装構造を得ることを目的とする。特に、この発明は、直管蛍光ランプの集合包装に適した包装構造を得ることを目的とする。
【０００５】
【課題を解決するための手段】
この発明に係る包装構造は、複数の物体をｎ（ｎ≧２）段ｍ（ｍ≧２）列に配列して包装する包装構造において、
ｍ列に配列されたｍ個の物体にまたがって各段の間に設けられた段仕切りパッドと、
上記段仕切りパッドと交差しない部分に設けられ、ｎ段に配列されｎ個の物体にまたがって各列の間に設けられた列仕切りパッドとを備え、上記段仕切りパッドと列仕切りパッドは、交互に設けられ、少なくとも段仕切りパッドと列仕切りパッドのいずれか一方が、少なくとも２ヶ所に設けられ、上記段仕切りパッドと列仕切りパッドは、奥行き方向の長さの合計が、上記物体の奥行き方向の長さと略同一であることを特徴とする。
また、上記列仕切りパッドが物体の中央部に設けられたことを特徴とする。
【０００７】
上記段仕切りパッドと列仕切りパッドは、緩衝性のある長方形の平板であることを特徴とする。
【０００９】
上記物体は、蛍光ランプであることを特徴とする。
【００１０】
【発明の実施の形態】
実施の形態１．
図１は、この発明の包装構造の一例を示す図である。
図１においては、蛍光ランプ３０がｍ列水平に並べられている。更に、垂直にｎ段重ねられている。図１において、点線は外装ケース３４の内部輪郭を示す。
図１において特徴となる点は、ｎ−１枚の水平パッド２０とｍ−１枚の垂直パッド１０を直交して配置した点である。垂直パッド１０及び水平パッド２０は、保護パッドとして働くとともに、仕切りパッドとして機能する。水平パッド２０は、蛍光ランプ３０の端部に２ヶ所設けられている。垂直パッド１０は、水平パッド２０の間に直交するように設けられている。即ち、ｎ段に重ねた蛍光ランプ３０の集合包装において、蛍光ランプ３０の一方の口金側端部又は近傍及び他方の口金側端部又は近傍に段ボールの水平パッド２０を保護パッドとして各段の間にｎ−１枚配置している。また、ｍ列に並べた各列の間に段ボールの保護パッドを垂直パッド１０として配置している。図１の矢印Ｘの方向から外装ケース３４を透視した場合に、垂直パッド１０及び水平パッド２０は、井桁状に互いに直交し、あたかも井桁状のパッドを呈することになる。蛍光ランプ３０は、垂直パッド１０と水平パッド２０と外装ケース３４によって形成されるｎ×ｍ個の口型のランプ収納スペースに格納され、保護されることになる。図１において、垂直パッド１０及び水平パッド２０は、長方形の平板の段ボールパッドである。
【００１１】
図１において、外装ケース３４の奥行き長Ｗは、垂直パッド１０の奥行き長Ｖと水平パッド２０の奥行き長Ｈを２個加算したものにほぼ等しい（但し、Ｗ≧Ｖ＋２Ｈ）。垂直パッド１０の奥行き長Ｖと水平パッド２０の奥行き長Ｈと外装ケース３４の奥行き長Ｗの関係をＷ＝Ｖ＋２Ｈに近づけることにより、垂直パッド１０及び水平パッド２０が図１の矢印Ａ，Ｂ方向にずれることを防ぐことができる。このように、垂直パッド１０及び水平パッド２０がずれることを防止することにより、垂直パッド１０及び水平パッド２０が片方向にずれて偏ってしまい、緩衝性を損なうことを防止することができる。
【００１２】
図１においては、垂直パッド１０及び水平パッド２０は、段ボールを用いたが、材質は板紙、プラスチック、スポンジ、ゴム等を緩衝性のある材質であればどのようなものを用いても構わない。
【００１３】
また、図１においては、ｎ−１枚の水平パッド２０とｍ−１枚の垂直パッド１０を用いる場合を示したが、水平パッド２０をｎ＋１枚及び垂直パッド１０をｍ＋１枚として、図１の外側に配置するようにしても構わない。即ち、垂直パッド１０及び水平パッド２０を外装ケース３４の内側に配置するようにしても構わない。
このようにして、緩衝性を更に高めることができる。
【００１４】
図１のような包装構造にすることにより、ランプ同士が移送中に起こる振動で接触することを防止することができる。その結果、ランプ同士の衝撃による破損を防止することができる。また、垂直パッド１０によって外装ケース３４の上下方向から加えられる荷重に対して強度を高めることができる。特に、垂直パッド１０は、外装ケース３４の奥行き方向において中央部に設けられているため、外装ケース３４の中央部に対して上下方向（矢印Ｊ，Ｋ方向）に荷重が加えられた場合に、耐荷重強度を高めることができる。従って、外装ケース３４が複数積まれて保管される場合の箱損傷や荷崩れによるランプの破損事故を防ぐことができる。
また、図１に示す外装ケース３４が９０°回転した状態で保管されたり移送される場合でも、垂直パッド１０が水平パッド２０として働き、水平パッド２０が垂直パッド１０として働くため、ランプ同士の接触や衝撃を避けることができる。
【００１５】
図２は、この発明の梱包構造を用いた梱包手順を示すフローチャート図である。
ステップ５１において、段数を示す変数ｉを０にする。ステップ５２において、外装ケースを組み立てる。ステップ５３において、ｉに１を加算し１段目の作業にはいる。ステップ５４において、１段目の蛍光ランプを水平に並べる。ステップ５５において、１段目の蛍光ランプの上に水平パッド２０を置く。ステップ５６において、ｉがｎ段目に達したかどうかを判定し、ｎ段目に達していない場合には、ステップ５３から５６を繰り返す。ｉがｎ段目に達した場合は、ステップ５７において、垂直パッド１０を蛍光ランプの間に挿入する。
【００１６】
図３は、別な梱包で順を示す図である。
図２と異なる点は、ステップ５７を最後に行うのではなく、最初に（ステップ５２と５３の間に）行う点である。
【００１７】
また、図示していないが、垂直パッド１０の挿入（ステップ５７）を途中で挿入しても構わない。例えば、ｉ＝ｎ／２のときに垂直パッド１０を挿入するようにしても構わない。
【００１８】
図４は、この発明の他の包装構造を示す図である。
図４が図１と異なる点は、水平パッド２０が１ヶ所にだけ設けられている点である。図４に示す場合は、更に構造が簡単になるという効果がある。図４に示す場合も、垂直パッド１０の奥行き長Ｖと水平パッド２０の奥行き長Ｈの合計をほぼ外装ケース３４の奥行き長Ｗとほぼ等しくするのが望ましい（但し、Ｗ≧Ｖ＋Ｈ）。
【００１９】
以下に、その他の例を図を用いて説明する。
図５は、２段×２列の場合を示す図である。
図６は、垂直パッド１０、或いは、水平パッド２０の代わりに、斜めパッド４０を用いる場合を示している。また、２段×２列の場合を示している。
図７は、斜めパッド４０を用いる３段×３列の場合を示している。
図８は、斜めパッド４０を用いる４段×４列の場合を示している。
図９は、水平パッド２０と斜めパッド４０を用いる３段×４列の場合を示している。
図１０は、水平パッド２０と２方向の斜めパッド４０を用いる４段×７列の場合を示している。
図１１は、水平パッド２０と２方向の斜めパッド４０を用いる２段×３列の場合を示している。また、外装ケース３４の断面が六角形の場合を示している。
図１２は、垂直パッド１０と波板パッド２４を用いた３段×６列の場合を示している。
【００２０】
図１３は、垂直パッド１０の他の例を示す図である。
垂直パッド１０の胴部の奥行き長Ｖ１は、端部の奥行き長Ｖ２よりも大きい。また、垂直パッド１０の胴部の厚さＴ１は、端部の厚さＴ２よりも大きい。従って、垂直パッド１０を矢印Ｆの方向に押した場合には、水平パッド２０を矢印Ａ及びＢ方向に押しながら挿入できる。また、蛍光ランプ３０を矢印Ｌ，Ｍの方向に押しながら挿入することができる。従って、垂直パッド１０の挿入が簡単に行える。
【００２１】
図１４は、垂直パッド１０と水平パッド２０の他の例を示す図である。
水平パッド２０は、上から下に向かって長さが長くなっている（Ｈ１＜Ｈ２＜Ｈ３）。また、垂直パッド１０は、上から下に向かって長さが短くなっている（Ｖ１＞Ｖ２＞Ｖ３）。そして、各長さの関係は、以下の通りである。
Ｈ１＋Ｖ１＋Ｈ１＝Ｗ
Ｈ２＋Ｖ２＋Ｈ２＝Ｗ
Ｈ３＋Ｖ３＋Ｈ３＝Ｗ
【００２２】
垂直パッド１０の形状がくさび状になっているため、垂直パッド１０が矢印Ｆの方向に挿入された場合に、水平パッド２０が両側にずれて位置が固定されるようになっている。従って、垂直パッド１０の挿入を行いやすいという利点がある。また、水平パッド２０が横にずれないという利点がある。
【００２３】
図１５及び図１６は、外装ケース３４にガイド溝３５を有する場合を示す図である。
図１７は、包装手順を示すフローチャート図である。
ステップ６１において、水平パッド２０を奥行き方向（矢印Ｇ方向）に水平ガイド溝３５に沿って挿入する。ステップ６２において、垂直パッド１０を奥行き方向に垂直ガイド溝３５に沿って挿入する。ステップ６３において、水平パッド２０を奥行き方向に水平ガイド溝３５に沿って挿入する。そして最後に、ステップ６４において、蛍光ランプ３０を奥行き方向へ挿入する。ステップ６４における蛍光ランプ３０の挿入は、１本ずつ行ってもよいし、１列ずつ行ってもよいし、１段ずつ行ってもよいし、ｎ段×ｍ列を同時に行ってもよい。
【００２４】
前述した実施の形態においては、垂直パッド１０が１ヶ所だけに設けられている場合を説明したが、垂直パッド１０と水平パッド２０を交互に複数設けるようにしても構わない。
【００２５】
【発明の効果】
以上のように、この発明によれば、比較的低コストでしかも保護性能を持つ包装構造を提供することができる。
【００２６】
また、この発明によれば、直管蛍光ランプを個別包装しない場合の集合包装に適した包装構造を提供することができる。
【００２７】
また、この発明によれば、直管蛍光ランプの管径が変わっても、同一の垂直パッド１０と水平パッド２０を用いて集合包装することができる。
【図面の簡単な説明】
【図１】  この発明の包装構造の一例を示す図である。
【図２】  この発明の包装手順を示すフローチャート図である。
【図３】  この発明の他の包装手順を示すフローチャート図である。
【図４】  この発明の他の包装構造を示す図である。
【図５】  この発明の他の包装構造を示す図である。
【図６】  この発明の他の包装構造を示す図である。
【図７】  この発明の他の包装構造を示す図である。
【図８】  この発明の他の包装構造を示す図である。
【図９】  この発明の他の包装構造を示す図である。
【図１０】  この発明の他の包装構造を示す図である。
【図１１】  この発明の他の包装構造を示す図である。
【図１２】  この発明の波板パッド２４を用いた包装構造を示す図である。
【図１３】  この発明の垂直パッド１０の他の構造を示す図である。
【図１４】  この発明の垂直パッド１０と水平パッド２０の他の構造を示す図である。
【図１５】  この発明の包装構造の他の例を示す図である。
【図１６】  この発明の包装構造の他の例を示す図である。
【図１７】  この発明の他の包装手順を示すフローチャート図である。
【図１８】  従来の包装構造を示す図である。
【図１９】  従来の包装構造を示す図である。
【図２０】  従来の包装構造を示す図である。
【図２１】  従来の包装構造を示す図である。
【符号の説明】
１０  垂直パッド、２０  水平パッド、２４  波板パッド、３０，３１  蛍光ランプ、３２  保護パッド、３４  外装ケース、３５  ガイド溝、３６  井桁状仕切りパッド、３８  波形パッド、４０  斜めパッド、Ｈ，Ｈ１，Ｈ２，Ｈ３，Ｖ，Ｖ１，Ｖ２，Ｗ  奥行き長。
【図１】
0003798148.tif 000002
【図２】
0003798148.tif 000003
【図３】
0003798148.tif 000004
【図４】
0003798148.tif 000005
【図５】
0003798148.tif 000006
【図６】
0003798148.tif 000007
【図７】
0003798148.tif 000008
【図８】
0003798148.tif 000009
【図９】
0003798148.tif 000010
【図１０】
0003798148.tif 000011
【図１１】
0003798148.tif 000012
【図１２】
0003798148.tif 000013
【図１３】
0003798148.tif 000014
【図１４】
0003798148.tif 000015
【図１５】
0003798148.tif 000016
【図１６】
0003798148.tif 000017
【図１７】
0003798148.tif 000018
【図１８】
0003798148.tif 000019
【図１９】
0003798148.tif 000020
【図２０】
0003798148.tif 000021
【図２１】
0003798148.tif 000022